(57)【要約】      （修正有）【課題】カヌー競技のゲート通過状態等を正確かつ迅速に処理し、観客に表示する。【解決手段】カヌー競技等のアップストリームやダウンストリームのゲート地点でのゲートポール等の通過状態や射撃的のシュート状態を無線や有線で送信するゲート通過判定装置１であって、ゲートポールの通過状態や射撃的のシュート状態等を入力するためのゼッケン番号とペナルティのゼッケン番号・ペナルティ入力手段１２および、これらの表示部１３を備えたゲート通過状態入力装置３と、このゲート通過状態入力装置３によってゲートの通過状態を外部に表示するためのゲート通過表示装置４とを備えたものである。ゼッケン番号・ペナルティ入力手段１２とゲート通過表示装置３を、不通過を赤色、ゲート接触の通過を黄色、正しい通過を緑色等の着色ランプやＬＥＤの表示手段による対応色とするのが好ましい。【選択図】図１
0003121838.tif 000002
【実用新案登録請求の範囲】
【請求項１】
カヌー競技等のアップストリームやダウンストリームのゲート地点でのゲートポール等
の通過状態や射撃的のシュート状態等を無線や有線で送信するゲート通過判定装置であっ
て、
ゲートポールの通過状態や射撃的のシュート状態等を入力するためのゼッケン番号とペ
ナルティのゼッケン番号・ペナルティ入力手段および、これらの表示器を備えたゲート通
過状態入力装置と、
このゲート通過状態入力装置によってゲートの通過状態を外部に表示するためのゲート
通過表示装置とを備えたことを特徴とするカヌー競技等のゲート通過判定装置。
【請求項２】
ゼッケン番号・ペナルティ入力手段とゲート通過表示装置が、不通過を赤色、ゲート接
触の通過を黄色、正しい通過を緑色等の着色ランプやＬＥＤの表示手段による対応色のも
のとした請求項１に記載のカヌー競技等のゲート通過判定装置。
【請求項３】
ゲート通過状態入力装置が軽量な携帯型のもので、ゲート通過表示装置がゲート地点に
立設可能なポール状のものである請求項１または２に記載のカヌー競技等のゲート通過判
定装置。
【請求項４】
ゲート通過状態入力装置およびゲート通過表示装置を各ゲート地点に配設して、この各
ゲート地点のゲート通過状態入力装置からの無線または有線で本部の集計装置に所要の送
信信号を送信するようにし、各ポイント計算処理する計算処理手段を備えたポイント計算
処理装置によって集計して競技結果を競技採点処理装置で表示するようにしたことを特徴
とする請求項１ないし３のいずれかに記載のカヌー競技等のゲート通過判定装置。
【請求項５】
競技経過について競技採点処理装置から携帯電話に送信できるようにした請求項４に記
載のカヌー競技等のゲート通過判定装置。
【考案の詳細な説明】
【技術分野】
【０００１】
本考案は、カヌーや乗馬、スキー等のスポーツ分野におけるカヌー競技等のゲート通過
判定装置に関するものである。
【背景技術】
【０００２】
近年、山河でのスポーツが盛んになり、河川を利用したカヌーのスラローム競技もかな
り知られるようになってきている。このカヌーのスラローム競技には、静水スラロームと
川下りの流水スラロームなどがあり、カヌー愛好者の人口が増加して各地でレースが開催
されている。
【０００３】
この流水スラロームの競技は、所定の長さの河川を利用して上流側をスタート地点とし、
所定数の地点での赤と白で標示されがゲートポールを下流から上流へ向かって通過し、緑
と白で標示されたゲートポールを上流から下流へ向かって通過して川下のゴール地点へカ
ヌー下りするもので、ゲート通過の正確さによるポイントと航行タイムによるポイントと
の合計で成績が順位づけされる。
【０００４】
上記したゲート通過は、カヌー、パドラー、ヘルメット、パドルがゲートに触れなかっ
たか、何本のゲートに触れたか、不通過と指定方向外の通過、沈んだり、逆さでの通過な
どを各地点での判定員が判定して採点して、その結果をゴール地点の本部へ伝達して計算
処理しているものであった。
【考案の開示】
【考案が解決しようとする課題】
【０００５】
しかし、各ゲート地点での判定員の判定にミスがあったり、判定員が電話やファクシミ
リで伝達されていて、その伝達速度が迅速でないとともに、競技者がゲート地点をどのよ
うに通過したかが客観的に観客に伝達されないものであった。
そのため、集計に手間がかかり、結果が出るのが遅くなったり、観客に生の競技状態の
感動を与えられなかったもので、短時間に迅速処理するとともに、観客にも競技状態を正
確に表示することが課題であった。
ところで、上記について特許調査したが、カヌー競技に関するものは実開平２−６１４
００号公報位で、これもカヌー競技用ゲート装置のものにすぎないものであった。
【特許文献１】実開平２−６１４００号公報
【課題を解決するための手段】
【０００６】
本考案は上記のような点に鑑みたものであって、上記の課題を解決するために、カヌー
競技等のアップストリームやダウンストリームのゲート地点でのゲートポール等の通過状
態や射撃的のシュート状態等を無線や有線で送信するゲート通過判定装置であって、ゲー
トポールの通過状態や射撃的のシュート状態等を入力するためのゼッケン番号とペナルテ
ィのゼッケン番号・ペナルティ入力手段および、これらの表示部を備えたゲート通過状態
入力装置と、このゲート通過状態入力装置によってゲートの通過状態を外部に表示するた
めのゲート通過表示装置とを備えたことを特徴とするカヌー競技等のゲート通過判定装置
を提供するにある。
【０００７】
また、ゼッケン番号・ペナルティ入力手段とゲート通過表示装置が、不通過を赤色、ゲ
ート接触の通過を黄色、正しい通過を緑色等の着色ランプやＬＥＤの表示手段による対応
色のものとしたカヌー競技等のゲート通過判定装置を提供するにある。
【０００８】
さらに、ゲート通過状態入力装置が軽量な携帯型のもので、ゲート通過表示装置がゲー
ト地点に立設可能なポール状のものであるカヌー競技等のゲート通過判定装置を提供する
にある。
【０００９】
さらにまた、ゲート通過状態入力装置およびゲート通過表示装置を各ゲート地点に配設
して、この各ゲート地点のゲート通過状態入力装置からの無線または有線で本部の集計装
置に所要の送信信号を送信するようにし、各ポイント計算処理する計算処理手段を備えた
ポイント計算処理装置によって集計して競技結果を競技採点処理装置で表示するようにし
たことを特徴とするカヌー競技等のゲート通過判定装置を提供するにある。
【００１０】
またさらに、競技経過について競技採点処理装置から携帯電話に送信できるようにした
カヌー競技等のゲート通過判定装置提供するにある。
【考案の効果】
【００１１】
本考案は、ゲートポール等の通過状態や射撃的のシュート状態等を無線や有線で送信す
るゲート通過判定装置であって、ゲートポールの通過状態や射撃的のシュート状態等を入
力するためのゼッケン番号とペナルティのゼッケン番号・ペナルティ入力手段および、こ
れらの表示部を備えたゲート通過状態入力装置と、このゲート通過状態入力装置によって
ゲートの通過状態を外部に表示するためのゲート通過表示装置とを備えたことによって、
たとえばカヌーのスラローム競技において、競技者が通過する各ゲート地点で競技者のカ
ヌーの所定のゲートポールの通過状態をゲート通過状態入力装置でゼッケン番号とペナル
ティを入力でき、競技者の通過状態をただちにゲート通過表示装置で表示して観客に見せ
ることができる。
【００１２】
そして、ゼッケン番号・ペナルティ入力手段とゲート通過表示装置が、不通過を赤色、
ゲート接触の通過を黄色、正しい通過を緑色等の着色ランプやＬＥＤの表示手段による対
応色のものとすることによって、判定者がペナルティを誤入力することなく迅速かつ正確
に入力できて、正確にゲート通過表示装置に表示するようにできる。
【００１３】
また、ゲート通過状態入力装置が軽量な携帯型のもので、ゲート通過表示装置がゲート
地点に立設可能なポール状とすることによって、各ゲート地点での判定者が競技者のゲー
ト通過状態をより近くの見せやすいところで確認できて、ゼッケン番号とペナルティを入
力でき、競技者の通過状態をただちにゲート通過表示装置に表示して観客に見せることが
できる。
【００１４】
そしてまた、ゲート通過状態入力装置およびゲート通過表示装置を各ゲート地点に配設
して、この各ゲート地点のゲート通過状態入力装置からの無線または有線で本部の集計装
置に所要の送信信号を送信するようにし、各ポイント計算処理する計算処理手段を備えた
ポイント計算処理装置によって集計して競技結果を競技採点処理装置で表示することによ
って、各ゲート地点から本部に送信して中間結果を逐次集計でき、迅速に処理できて競技
結果を迅速に報告することができる。
【００１５】
さらに、競技経過について競技採点処理装置から携帯電話に送信できるようにすること
によって、関係者や愛好者に携帯電話を介して競技状況を知るようにすることができる。
【考案を実施するための最良の形態】
【００１６】
本考案のカヌー競技等のゲート通過判定装置は、カヌー競技等のアップストリームやダ
ウンストリームのゲート地点でのゲートポール等の通過状態や射撃的のシュート状態等を
無線や有線で送信するゲート通過判定装置であって、ゲートポールの通過状態や射撃的の
シュート状態等を入力するためのゼッケン番号とペナルティのゼッケン番号・ペナルティ
入力手段および、これらの表示部を備えたゲート通過状態入力装置と、このゲート通過状
態入力装置によってゲートの通過状態を外部に表示するためのゲート通過表示装置とを備
えたことを特徴としている。
【００１７】
カヌー競技等のゲート通過判定装置１は、図１のようにカヌーのスラローム競技や乗馬
、ノルディック複合スキー等に適用できるもので、たとえばスラローム競技では図１のよ
うに河川の上流のスタート地点から下流のゴール地点にわたって複数箇所にゲート地点２
、２、・・・を設定し、このゲート地点２、２、・・・にゲート通過判定装置１をそれぞ
れ配置して競技を実行するようにしている。
【００１８】
ゲート通過判定装置１は、図１のように基本的にゲート通過状態入力装置３とゲート通
過表示装置４で構成していて、図２のようにゲート通過状態入力装置３は表面にテンキー
５と取消ボタン６、決定ボタン７の入力手段８、赤ボタン９、黄ボタン１０、緑ボタン１
１のペナルティ入力手段１２、液晶のゼッケン番号表示部１３、ポイント表示部１４を設
けていて、図４のような立設するようにしたポール状のゲート通過表示装置４にゲート通
過状態を上記ポイント表示に対応させた赤ランプ１５、黄ランプ１６、緑ランプ１７、ゼ
ッケン番号表示部１８に表示できるようにしている。
【００１９】
上記入力手段８は、図５のように公知の制御回路でＲＯＭ１９を介してそれぞれの入力
をゼッケン番号表示部１３、ポイント表示部１４に表示するように回路構成し、またゲー
ト通過表示装置４の各ランプ１５、１６、１７に無線または有線によって表示させるよう
にしている。
【００２０】
また、これらの入力信号は、Ｒ２３２Ｃ等の有線ケーブルや無線通信モジュール制御
２０を装着することによって、下流の本部の集計装置２１に送信し、競技結果を採点処理
してディスプレイ（図示せず）やプリンターなどの競技採点処理装置２２に表示し、テレ
ビ２３にも送信して表示するようにしている。必要により、携帯電話へ競技結果をインタ
ーネットを介したりして送信するようにもできる。
【実施例】
【００２１】
図１〜図４は、本考案の一実施例を示すものである。カヌーのスラローム競技のコース
を図１のように所要の河川の上流のスタート地点から下流のゴール地点を設定し、その間
に各ゲート地点２、２・・・にゲートポール２４を設置し、図５のように各ゲート地点２
、２・・・に上記したゲート通過判定装置１をそれぞれ設置する。
【００２２】
そして、スタート地点から競技者がカヌーでスタートしてゲート地点２のゲートポール
２４を通過するときに、判定員が観察して判定し、正しく通過をしてポールやゲートに触
れなかったときには緑ボタン１１、正しく通過をしたが、ポールやゲートに触れたときに
は黄ボタン１０、不通過や指定方向外のときには赤ボタン９をゲート通過状態入力装置３
のテンキー５を入力してゼッケン番号と、ペナルティ入力手段１２を押し、ゼッケン番号
表示部１２、ポイント表示部１４で確認し、ゲート通過表示装置４にゲート通過状態が表
示されていく。
【００２３】
そのため、判定者がペナルティを誤入力することなく入力できて、正確にゲート通過表
示装置４に表示するようにでき、また競技者の通過状態をただちにゲート通過表示装置４
で表示して観客に見せることができる。
【００２４】
また、これらの入力信号は、Ｒ２３２Ｃ等の有線ケーブルや、図２のように無線通信モ
ジュール制御２０を装着することによって下流の本部の集計装置２１に送信し、競技結果
を採点処理してディスプレイやプリンターなどの競技採点処理装置２２に表出していく。
必要により、携帯電話へ競技結果をインターネットを介したりして送信する。そのため、
各ゲート地点２から本部に送信して中間結果を逐次集計し、迅速に処理できて競技結果を
報告することができる。なお、図のようにゲート通過状態入力装置３に公知の無線通信モ
ジュール制御２０を装着して行うこともできる。
【００２５】
また、ゲート通過状態入力装置３に、複数のゼッケン番号表示部１３、ポイント表示部
１４を設けて、複数の競技者の状況を入力することもできる。
【００２６】
なお、カヌー競技のスタート時刻やゴール時刻は、光電装置等を介して測定し、本部に
送信して所用タイムを計算し、上記したペナルティーと合計してその結果を速報として表
出するものである。
【００２７】
上記ではカヌーのスラローム競技について説明したが、乗馬の競技やノルディックスキ
ーの射撃競技、その他の同様な競技についても適用することができる。
【図面の簡単な説明】
【００２８】
【図１】本考案の一実施例の競技説明用概要図、
【図２】同上のゲート通過状態入力装置の平面図
【図３】同上のゲート通過表示装置の正面図、
【図４】同上のゲート通過状態入力装置の一部省略した電気回路図、
【図５】同上のゲート通過状態入力装置の他の実施例の平面図、
【図６】同上のスラローム競技のゲート部の説明用図。
【符号の説明】
【００２９】
１…ゲート通過判定装置      ２…ゲート地点      ３…ゲート通過状態入力装置
４…ゲート通過表示装置      ８…入力手段      １２…ペナルティ入力手段
１５…赤色ランプ            １６…黄ランプ      １７…緑ランプ
【図１】
0003121838.tif 000003
【図２】
0003121838.tif 000004
【図３】
0003121838.tif 000005
【図４】
0003121838.tif 000006
【図５】
0003121838.tif 000007
【図６】
0003121838.tif 000008
【手続補正書】
【提出日】平成18年3月14日(2006.3.14)
【手続補正１】
【補正対象書類名】実用新案登録請求の範囲
【補正対象項目名】全文
【補正方法】変更
【補正の内容】
【実用新案登録請求の範囲】
【請求項１】
カヌー競技のアップストリームやダウンストリームのゲート地点でのゲートポール
の通過状態や、射撃競技の射撃的のシュート状態を無線や有線で送信するゲート通過
判定装置であって、
ゲートポールの通過状態や射撃的のシュート状態を入力するためのゼッケン番
号とペナルティのゼッケン番号・ペナルティ入力手段および、これらの表示器を備えたゲ
ート通過状態入力装置と、
このゲート通過状態入力装置によってゲートの通過状態を外部に表示するためのゲート
通過表示装置とを備えたことを特徴とするカヌー競技や射撃競技のゲート通過判
定装置。
【請求項２】
ゼッケン番号・ペナルティ入力手段とゲート通過表示装置が、不通過を赤色、ゲート接
触の通過を黄色、正しい通過を緑色等の着色ランプやＬＥＤの表示手段による対応色のも
のとした請求項１に記載のカヌー競技や射撃競技のゲート通過判定装置。
【請求項３】
ゲート通過状態入力装置が軽量な携帯型のもので、ゲート通過表示装置がゲート地点に
立設可能なポール状のものである請求項１または２に記載のカヌー競技のゲート
通過判定装置。
【請求項４】
ゲート通過状態入力装置およびゲート通過表示装置を各ゲート地点に配設して、この各
ゲート地点のゲート通過状態入力装置からの無線または有線で本部の集計装置に所要の送
信信号を送信するようにし、各ポイント計算処理する計算処理手段を備えたポイント計算
処理装置によって集計して競技結果を競技採点処理装置で表示するようにしたことを特徴
とする請求項１ないし３のいずれかに記載のカヌー競技のゲート通過判定装置。
【請求項５】
競技経過について競技採点処理装置から携帯電話に送信できるようにした請求項４に記
載のカヌー競技のゲート通過判定装置。
【手続補正２】
【補正対象書類名】明細書
【補正対象項目名】全文
【補正方法】変更
【補正の内容】
【考案の詳細な説明】
【技術分野】
【０００１】
本考案は、カヌーや乗馬、スキー等のスポーツ分野におけるカヌー競技や射撃競技
のゲート通過判定装置に関するものである。
【背景技術】
【０００２】
近年、山河でのスポーツが盛んになり、河川を利用したカヌーのスラローム競技もかな
り知られるようになってきている。このカヌーのスラローム競技には、静水スラロームと
川下りの流水スラロームなどがあり、カヌー愛好者の人口が増加して各地でレースが開催
されている。
【０００３】
この流水スラロームの競技は、所定の長さの河川を利用して上流側をスタート地点とし
、所定数の地点での赤と白で標示されがゲートポールを下流から上流へ向かって通過し、
緑と白で標示されたゲートポールを上流から下流へ向かって通過して川下のゴール地点へ
カヌー下りするもので、ゲート通過の正確さによるポイントと航行タイムによるポイント
との合計で成績が順位づけされる。
【０００４】
上記したゲート通過は、カヌー、パドラー、ヘルメット、パドルがゲートに触れなかっ
たか、何本のゲートに触れたか、不通過と指定方向外の通過、沈んだり、逆さでの通過な
どを各地点での判定員が判定して採点して、その結果をゴール地点の本部へ伝達して計算
処理しているものであった。
【考案の開示】
【考案が解決しようとする課題】
【０００５】
しかし、各ゲート地点での判定員の判定にミスがあったり、判定員が電話やファクシミ
リで伝達されていて、その伝達速度が迅速でないとともに、競技者がゲート地点をどのよ
うに通過したかが客観的に観客に伝達されないものであった。
そのため、集計に手間がかかり、結果が出るのが遅くなったり、観客に生の競技状態の
感動を与えられなかったもので、短時間に迅速処理するとともに、観客にも競技状態を正
確に表示することが課題であった。
ところで、上記について特許調査したが、カヌー競技に関するものは実開平２−６１４
００号公報位で、これもカヌー競技用ゲート装置のものにすぎないものであった。
【特許文献１】実開平２−６１４００号公報
【課題を解決するための手段】
【０００６】
本考案は上記のような点に鑑みたものであって、上記の課題を解決するために、カヌー
競技のアップストリームやダウンストリームのゲート地点でのゲートポールの通過状
態や、射撃競技の射撃的のシュート状態を無線や有線で送信するゲート通過判定装置
であって、ゲートポールの通過状態や射撃的のシュート状態を入力するためのゼ
ッケン番号とペナルティのゼッケン番号・ペナルティ入力手段および、これらの表示部を
備えたゲート通過状態入力装置と、このゲート通過状態入力装置によってゲートの通過状
態を外部に表示するためのゲート通過表示装置とを備えたことを特徴とするカヌー競
技や射撃競技のゲート通過判定装置を提供するにある。
【０００７】
また、ゼッケン番号・ペナルティ入力手段とゲート通過表示装置が、不通過を赤色、ゲ
ート接触の通過を黄色、正しい通過を緑色等の着色ランプやＬＥＤの表示手段による対応
色のものとしたカヌー競技や射撃的競技のゲート通過判定装置を提供するにある
。
【０００８】
さらに、ゲート通過状態入力装置が軽量な携帯型のもので、ゲート通過表示装置がゲー
ト地点に立設可能なポール状のものであるカヌー競技のゲート通過判定装置を提
供するにある。
【０００９】
さらにまた、ゲート通過状態入力装置およびゲート通過表示装置を各ゲート地点に配設
して、この各ゲート地点のゲート通過状態入力装置からの無線または有線で本部の集計装
置に所要の送信信号を送信するようにし、各ポイント計算処理する計算処理手段を備えた
ポイント計算処理装置によって集計して競技結果を競技採点処理装置で表示するようにし
たことを特徴とするカヌー競技のゲート通過判定装置を提供するにある。
【００１０】
またさらに、競技経過について競技採点処理装置から携帯電話に送信できるようにした
カヌー競技のゲート通過判定装置提供するにある。
【考案の効果】
【００１１】
本考案は、ゲートポールの通過状態や射撃的のシュート状態を無線や有線で送信す
るゲート通過判定装置であって、ゲートポールの通過状態や射撃競技の射撃的のシュート
状態を入力するためのゼッケン番号とペナルティのゼッケン番号・ペナルティ入力手
段および、これらの表示部を備えたゲート通過状態入力装置と、このゲート通過状態入力
装置によってゲートの通過状態を外部に表示するためのゲート通過表示装置とを備えたこ
とによって、たとえばカヌーのスラローム競技において、競技者が通過する各ゲート地点
で競技者のカヌーの所定のゲートポールの通過状態をゲート通過状態入力装置でゼッケン
番号とペナルティを入力でき、競技者の通過状態をただちにゲート通過表示装置で表示し
て観客に見せることができる。
【００１２】
そして、ゼッケン番号・ペナルティ入力手段とゲート通過表示装置が、不通過を赤色、
ゲート接触の通過を黄色、正しい通過を緑色等の着色ランプやＬＥＤの表示手段による対
応色のものとすることによって、判定者がペナルティを誤入力することなく迅速かつ正確
に入力できて、正確にゲート通過表示装置に表示するようにできる。
【００１３】
また、ゲート通過状態入力装置が軽量な携帯型のもので、ゲート通過表示装置がゲート
地点に立設可能なポール状とすることによって、各ゲート地点での判定者が競技者のゲー
ト通過状態をより近くの見せやすいところで確認できて、ゼッケン番号とペナルティを入
力でき、競技者の通過状態をただちにゲート通過表示装置に表示して観客に見せることが
できる。
【００１４】
そしてまた、ゲート通過状態入力装置およびゲート通過表示装置を各ゲート地点に配設
して、この各ゲート地点のゲート通過状態入力装置からの無線または有線で本部の集計装
置に所要の送信信号を送信するようにし、各ポイント計算処理する計算処理手段を備えた
ポイント計算処理装置によって集計して競技結果を競技採点処理装置で表示することによ
って、各ゲート地点から本部に送信して中間結果を逐次集計でき、迅速に処理できて競技
結果を迅速に報告することができる。
【００１５】
さらに、競技経過について競技採点処理装置から携帯電話に送信できるようにすること
によって、関係者や愛好者に携帯電話を介して競技状況を知るようにすることができる。
【考案を実施するための最良の形態】
【００１６】
本考案のカヌー競技や射撃競技のゲート通過判定装置は、カヌー競技のアップ
ストリームやダウンストリームのゲート地点でのゲートポール等の通過状態や射撃的のシ
ュート状態を無線や有線で送信するゲート通過判定装置であって、ゲートポール
の通過状態や射撃的のシュート状態を入力するためのゼッケン番号とペナルティ
のゼッケン番号・ペナルティ入力手段および、これらの表示部を備えたゲート通過状態入
力装置と、このゲート通過状態入力装置によってゲートの通過状態を外部に表示するため
のゲート通過表示装置とを備えたことを特徴としている。
【００１７】
ゲート通過判定装置１は、図１のようにカヌーのスラローム競技や乗馬、ノル
ディック複合スキー等に適用できるもので、たとえばスラローム競技では図１のように河
川の上流のスタート地点から下流のゴール地点にわたって複数箇所にゲート地点２、２、
・・・を設定し、このゲート地点２、２、・・・にゲート通過判定装置１をそれぞれ配置
して競技を実行するようにしている。
【００１８】
ゲート通過判定装置１は、図１のように基本的にゲート通過状態入力装置３とゲート通
過表示装置４で構成していて、図２のようにゲート通過状態入力装置３は表面にテンキー
５と取消ボタン６、決定ボタン７の入力手段８、赤ボタン９、黄ボタン１０、緑ボタン１
１のペナルティ入力手段１２、液晶のゼッケン番号表示部１３、ポイント表示部１４を設
けていて、図４のような立設するようにしたポール状のゲート通過表示装置４にゲート通
過状態を上記ポイント表示に対応させた赤ランプ１５、黄ランプ１６、緑ランプ１７、ゼ
ッケン番号表示部１８に表示できるようにしている。
【００１９】
上記入力手段８は、図５のように公知の制御回路でＲＯＭ１９を介してそれぞれの入力
をゼッケン番号表示部１３、ポイント表示部１４に表示するように回路構成し、またゲー
ト通過表示装置４の各ランプ１５、１６、１７に無線または有線によって表示させるよう
にしている。
【００２０】
また、これらの入力信号は、Ｒ２３２Ｃ等の有線ケーブルや無線通信モジュール制御
２０を装着することによって、下流の本部の集計装置２１に送信し、競技結果を採点処理
してディスプレイ（図示せず）やプリンターなどの競技採点処理装置２２に表示し、テレ
ビ２３にも送信して表示するようにしている。必要により、携帯電話へ競技結果をインタ
ーネットを介したりして送信するようにもできる。
【実施例】
【００２１】
図１〜図４は、本考案の一実施例を示すものである。カヌーのスラローム競技のコース
を図１のように所要の河川の上流のスタート地点から下流のゴール地点を設定し、その間
に各ゲート地点２、２・・・にゲートポール２４を設置し、図５のように各ゲート地点２
、２・・・に上記したゲート通過判定装置１をそれぞれ設置する。
【００２２】
そして、スタート地点から競技者がカヌーでスタートしてゲート地点２のゲートポール
２４を通過するときに、判定員が観察して判定し、正しく通過をしてポールやゲートに触
れなかったときには緑ボタン１１、正しく通過をしたが、ポールやゲートに触れたときに
は黄ボタン１０、不通過や指定方向外のときには赤ボタン９をゲート通過状態入力装置３
のテンキー５を入力してゼッケン番号と、ペナルティ入力手段１２を押し、ゼッケン番号
表示部１２、ポイント表示部１４で確認し、ゲート通過表示装置４にゲート通過状態が表
示されていく。
【００２３】
そのため、判定者がペナルティを誤入力することなく入力できて、正確にゲート通過表
示装置４に表示するようにでき、また競技者の通過状態をただちにゲート通過表示装置４
で表示して観客に見せることができる。
【００２４】
また、これらの入力信号は、Ｒ２３２Ｃ等の有線ケーブルや、図２のように無線通信モ
ジュール制御２０を装着することによって下流の本部の集計装置２１に送信し、競技結果
を採点処理してディスプレイやプリンターなどの競技採点処理装置２２に表出していく。
必要により、携帯電話へ競技結果をインターネットを介したりして送信する。そのため、
各ゲート地点２から本部に送信して中間結果を逐次集計し、迅速に処理できて競技結果を
報告することができる。なお、図のようにゲート通過状態入力装置３に公知の無線通信モ
ジュール制御２０を装着して行うこともできる。
【００２５】
また、ゲート通過状態入力装置３に、複数のゼッケン番号表示部１３、ポイント表示部
１４を設けて、複数の競技者の状況を入力することもできる。
【００２６】
なお、カヌー競技のスタート時刻やゴール時刻は、光電装置等を介して測定し、本部に
送信して所用タイムを計算し、上記したペナルティーと合計してその結果を速報として表
出するものである。
【００２７】
上記ではカヌーのスラローム競技について説明したが、乗馬の競技やノルディックスキ
ーの射撃競技、その他の同様な競技についても適用することができる。
【図面の簡単な説明】
【００２８】
【図１】本考案の一実施例の競技説明用概要図、
【図２】同上のゲート通過状態入力装置の平面図
【図３】同上のゲート通過表示装置の正面図、
【図４】同上のゲート通過状態入力装置の一部省略した電気回路図、
【図５】同上のゲート通過状態入力装置の他の実施例の平面図、
【図６】同上のスラローム競技のゲート部の説明用図。
【符号の説明】
【００２９】
１…ゲート通過判定装置    ２…ゲート地点    ３…ゲート通過状態入力装置
４…ゲート通過表示装置    ８…入力手段    １２…ペナルティ入力手段
１５…赤色ランプ          １６…黄ランプ    １７…緑ランプ